(57)【特許請求の範囲】
【請求項１】
筐体に開閉自在に取り付けられる前扉をこの筐体に対して施錠・解錠するための施錠手段と、この施錠手段を支持するとともに前扉に組み込まれる支持枠とを備えた遊技機の施錠装置において、
前記支持枠は、前扉の幅方向において所定間隔離れて設けられる少なくとも２つの縦杆と、この縦杆に架け渡される少なくとも２つの横杆と、横杆に架け渡される架橋部材とを備え、
遊技機の進行に関わる機能性部材を前記架橋部材に固定する固定手段を更に備え、
前記固定手段は、前記機能性部材の前面側と背面側とに当接してこの機能性部材を挟持する第１固定部材と第２固定部材とを備え、
該第１固定部材は前記機能性部材の一辺側に沿って設けられる複数の固定部によって前記横杆あるいは縦杆に固定されており、
該第２固定部材は前記機能性部材の前記一辺と直交する他辺側に沿って設けられる複数の固定部によって前記架橋部材に対して固定されており、
前記第１固定部材の一部と前記第２固定部材の一部とで前記機能性部材の収容空間が形成されていることを特徴とする遊技機の施錠装置。
【請求項２】
前記架橋部材は、機能性部材を支持する第１支持部と、この第１支持部を横杆に対して前扉の後方に所定間隔離間させて支持する第２支持部とを備える請求項１に記載の遊技機の施錠装置。
【請求項３】
請求項１又は請求項２に記載の遊技機の施錠装置を備えることを特徴とする遊技機。
【発明の詳細な説明】
【技術分野】
【０００１】
本発明は、遊技機の前扉を筐体に対して施錠・解錠する施錠装置、およびこの施錠装置を備えた遊技機に関する。
【背景技術】
【０００２】
従来、スロットマシン等の遊技機では、筐体に対して開閉自在とされた前扉の開放端側に、竿状の縦長形状の施錠装置が取り付けられている。この施錠装置は、縦長の施錠杆本体に、フック形状の鉤部材を上下方向に回動可能に取り付けるとともに、これら上下の鉤部材を連結する連結杆を設け、この連結杆を摺動可能に施錠杆本体に支持する構成をとっている（例えば特許文献１等参照）。
【０００３】
この連結杆は、シリンダ錠の錠軸に固定されたカム板に係合するようになっており、このカム板の回転により上下動を行うようになっている。遊技機本体側には、上下の鉤部材と係合する受け金具が取り付けられており、上下の鉤部材とこれらの受け金具の係合により前扉をロック状態とするようになっている。
【０００４】
上記の施錠装置は金属等により構成されるが、前扉本体は、プラスチック等の合成樹脂にて成型されることが多い。これら合成樹脂は、金属メッキ等の処理を施されることによってある程度の剛性を持つようになる。
【０００５】
ところで、近年のスロットマシンなどの遊技機では、遊技者に対して演出効果をアピールする観点から、大型の液晶、ＥＬなどの表示装置や、回転、摺動機構などの大型の可動物などの種々の機能性部材が取り付けられる事が多く、取り付けられる機能性部材も、ますます大型化する傾向にある。
【０００６】
特に、スロットマシンでは、遊技機前面のパネル中央部分に、内部の回胴（リール）を視認するための視認窓を設け、視認窓の上、つまり、遊技機前面上部に表示装置が取り付けられることが一般的になっている。
【特許文献１】特開２００３−７０９６８号公報
【特許文献２】特開２００５−１１８１２８号公報
【特許文献３】特開２００１−２１２２８３号公報
【発明の開示】
【発明が解決しようとする課題】
【０００７】
従来の遊技機のように、前扉に重量のある機能性部材を取り付けた場合には、前扉自体に歪みが生じ、前扉を閉じる操作がし難くなったり、前扉が変形したりするおそれが生じていた。特に、前扉の上部に大型の表示装置、例えば液晶表示装置や、リール装置などのユニットを取り付けた場合には、前扉の重心が高くなり、より前扉の変形等の原因となることが考えられる。
【０００８】
本発明は、上記の事情に鑑みてなされたものであって、前扉を適切に補強するとともに、前扉に取り付けられる機能性部材を好適に保持することができる遊技機の施錠装置、および遊技機を提供することを課題とする。
【課題を解決するための手段】
【０００９】
本発明は、上記の課題を解決するものであって、筐体に開閉自在に取り付けられる前扉をこの筐体に対して施錠・解錠するための施錠手段と、この施錠手段を支持するとともに前扉に組み込まれる支持枠とを備えた遊技機の施錠装置において、前記支持枠は、前扉の幅方向において所定間隔離れて設けられる少なくとも２つの縦杆と、この縦杆に架け渡される少なくとも２つの横杆と、横杆に架け渡される架橋部材とを備え、遊技機の進行に関わる機能性部材を前記架橋部材に固定する固定手段を更に備え、前記固定手段は、前記機能性部材の前面側と背面側とに当接してこの機能性部材を挟持する第１固定部材と第２固定部材とを備え、該第１固定部材は前記機能性部材の一辺側に沿って設けられる複数の固定部によって前記横杆あるいは縦杆に固定されており、該第２固定部材は前記機能性部材の前記一辺と直交する他辺側に沿って設けられる複数の固定部によって前記架橋部材に対して固定されており、前記第１固定部材の一部と前記第２固定部材の一部とで前記機能性部材の収容空間が形成されていることを特徴とする。
【００１０】
かかる構成によれば、支持枠が、縦杆と、縦杆に架け渡される横杆と、横杆に架け渡される架橋部材で構成されることで、この支持枠が前扉に組み込まれることによって、前扉を補強するとともに、機能性部材を架橋部材によって好適に保持した状態で、前扉の施錠を行うことができるようになる。
また、この固定手段を介して機能性部材を架橋部材に固定することにより、架橋部材は、機能性部材を確実に支持できるようになる。
また、第１固定部材と第２固定部材とによって機能性部材を挟持させ、第１固定部材を、複数の固定部を介して横杆または縦杆に固定し、第２固定部材を、複数の固定部を介して架橋部材に固定することにより、架橋部材は、この機能性部材を確実かつ強固に保持できるようになる。
【００１１】
また、本発明に係る遊技機の施錠装置は、前記架橋部材が、機能性部材を支持する第１支持部と、この第１支持部を横杆に対して前扉の後方に所定間隔離間させて支持する第２支持部とを備える構成を採用できる。
【００１２】
かかる構成によれば、前扉の前面には種々の重量物が搭載されるため、この前扉の前面よりも後方に離れた位置で、架橋部材が機能性部材を保持することにより、前扉の前側に荷重が集中することを緩和・抑制することができる。
【００１７】
また、本発明に係る遊技機は、上記いずれかの施錠装置を備えることを特徴とするものである。
【発明の効果】
【００１８】
本発明によれば、前扉を適切に補強し、この前扉に取り付けられる機能性部材を好適に保持できるようになる。
【発明を実施するための最良の形態】
【００１９】
以下、本発明を実施するための最良の形態である実施形態を図面に基づいて説明する。図１ないし図１１は本発明に係る遊技機１の一実施形態としてスロットマシンを例示している。このスロットマシンは、図１ないし図４に示すように、その前面全体が開口する前面開口を有する筐体２と、この筐体２に対し、回動軸３を介して開閉自在とされた前扉４とを有する。
【００２０】
前扉４は、図５ないし図９に詳示するように、前扉４を筐体２に対して施錠・解錠する施錠手段５およびこの施錠手段５を支持するとともにこの前扉４の一部として組み込まれる支持枠６とを有する施錠装置１１と、この支持枠６の上部に取り付けられ、下端部に左右方向に延びる操作部７を有する上部ユニット８と、支持枠６の下部に取り付けられる下部ユニット９とを備えている。
【００２１】
施錠手段５は、鍵を挿入可能なキーシリンダ１４と、上下方向に延びて配置され、かつ、キーシリンダ１４への鍵の挿入回動に伴い上下方向に変位する連結杆１８と、この連結杆１８と連携してキーシリンダ１４への鍵の挿入回動に連動して揺動する上下２つのフック部材１５，１６と、キーシリンダ１４に接続されるとともに、連結杆１８を上下動させるためのカム部材１７と、連結杆１８の上側のフック部材１５とキーシリンダ１４との間に設けられたローラ１９とを有する。
【００２２】
図７に示すように、連結杆１８には、カム部材１７が係合する係合孔１８ａと、施錠手段５によって前扉４が施錠されている状態において、この連結杆１８が上下方向に移動しないように規制する突起部１８ｂが形成されている。
【００２３】
カム部材１７には、連結杆１８に係合する係合爪１７ａが設けられている。カム部材１７は、キーシリンダ１４に鍵を差し込んで回したときに、この係合爪１７ａが連結杆１８の係合孔１８ａに係合した状態で所定の方向に回動することにより、連結杆１８を押し上げるようになっている。施錠装置１１は、連結杆１８が、カム部材１７の回動によって押し上げられると、これに連動して、フック部材１５，１６が、前扉４の施錠を解除すべく回動するように構成されている。
【００２４】
また、施錠装置１１によって前扉４の施錠がなされている状態では、連結杆１８に形成されている突起部１８ｂが、カム部材１７の係合爪１７ａと接触するか、またはカム部材１７の近傍に位置しており、カム部材１７を介さずに連結杆１８を押し上げようとしたときに、突起部１８ｂがカム部材１７の係合爪１７ａに当接して係止されるようになっている。この構成により、遊技機１は、キーシリンダ１４およびカム部材１７を介さずに、連結杆１８を操作して前扉４を解錠するといった不正行為の発生を防止できるようになっている。
【００２５】
一方、筐体２の内側の壁面には、フック部材１５，１６の高さ位置に対応して、金属製などの受け具２３が取り付けられているとともに、ローラ１９の高さ位置に対応して、金属製などの板状部材が取り付けられている。遊技機１は、前扉４の閉時にはローラ１９がこの板状部材に乗り上げることにより前扉４が僅かに持ち上げられて支持される。これによって、前扉４を筐体２の適切な位置で閉じることができるようになっている。
【００２６】
支持枠６は、図６及び図７に示すように、２つの縦杆６ａ，６ｂと３つの横杆６ｃ，６ｄ，６ｅを介して矩形状に構成されている。縦杆６ａ，６ｂおよび横杆６ｃ〜６ｅは、アルミニウム又は鋼鉄などの金属によって断面略コ字状又は略Ｌ字状に形成されている。より具体的には、２つの縦杆６ａ，６ｂは、前扉４の幅方向において所定の間隔をおいてほぼ平行に配置されている。また、３つの横杆６ｃ〜６ｅは、前扉４の幅方向に沿って、これらの縦杆６ａ，６ｂの上部、中途部、下部を連結するように架け渡されている。以下、縦杆６ａ，６ｂの上部に架け渡される横杆を第１横杆６ｃ、縦杆６ａ，６ｂの中途部に架け渡される横杆を第２横杆６ｄ、縦杆６ａ，６ｂの下部に架け渡される横杆を第３横杆６ｅという。なお、２つの縦杆６ａ，６ｂのうちの一方には、前記施錠装置１１が設けられている。
【００２７】
図７に示すように、第２横杆６ｄは、縦杆６ａ，６ｂの長手方向の中間位置（縦杆６ａ，６ｂの長さが半分となる位置）よりも、縦杆６ａ，６ｂの上部寄りの位置で、これらの縦杆６ａ，６ｂに架け渡されている。また、第１横杆６ｃと第２横杆６ｄには、２つの架橋部材１２，１２が架け渡されている。
【００２８】
架橋部材１２，１２には、種々の機能性部材１３が取り付けられる。ここで、機能性部材１３とは、遊技の進行に関わる部材であり、遊技者の五感に遊技の演出を感じさせるためのものである。この機能性部材１３としては、例えば、ＭＬＤ（Multi layered disply）、液晶画面等の表示器や、所定の動きによって遊技を進行・演出する役物等の構造体が挙げられる。なお、本実施形態では、機能性部材１３としてＭＬＤユニット（以下、単に「ＭＬＤ」という）を例示している。
【００２９】
機能性部材１３としてのＭＬＤは、遊技の進行に関連してキャラクタ動作などの各種演出表示、当選役に関する各種報知演出表示、遊技に関する各種説明表示などの機能を実現するためのものである。機能性部材１３としてのＭＬＤは、図８、図９に示すように、直方体状に形成された収容ケース１３ａ内に、複数の液晶パネルと、これらを照明するための中間照明及びバックライトなどの照明装置、これらの駆動による発熱を排熱するための排熱用ファン等の各種機器を内蔵する。この収容ケース１３ａの後面には、排熱ファンにより、収容ケース１３ａ内の熱を排出するための排気孔を有する排気部１３ｂが形成されている。この収容ケース１３ａの後面には、その幅方向に間隔をおいて２つの排気部１３ｂが形成されている。
【００３０】
架橋部材１２，１２は、機能性部材１３を支持する第１支持部１２ａと、この第１支持部１２ａを横杆６ｃ〜６ｅから所定間隔離れた位置で支持する第２支持部１２ｂとを有する。第１支持部１２ａは、板状、または断面視においてＬ字状、またはコ字状とされ、縦杆６ａ，６ｂの長手方向に沿って長尺状に構成される。この第１支持部１２ａには、機能性部材１３を支持するために用いられる孔が貫通形成されている。
【００３１】
架橋部材１２の長さは、直方体形状の機能性部材１２の短辺の長さと同程度もしくはこれよりも長く設定されており、架橋部材１２，１２同士の間は、機能性部材１３の長辺の長さと同程度若しくはやや広めに設定されている。
【００３２】
第２支持部１２ｂは、第１支持部１２ａの長手方向における両端部に設けられている。また、第２支持部１２ｂの長さは、第１支持部１２ａの長さよりも短く設定されている。２つの第２支持部１２ｂは、その一端部が第１支持部１２ａにほぼ直交する状態で、この第１支持部１２ａに一体に形成されている。これにより、架橋部材１２，１２は側面視コ字状に形成されている。また、このような形状から、架橋部材１２，１２には、第１支持部１２ａと第２支持部１２ｂとによって、後方に凹んだ凹部１２ｃが形成されている。
【００３３】
また、第２支持部１２ｂは、その他端部が第１横杆６ｃ、第２横杆６ｄに固定されるようになっている。この第２支持部１２ｂの他端部には、架橋部材１２，１２を第１横杆６ｃ，第２横杆６ｄに取り付けるための取付部１２ｄが形成されている。取付部１２ｄには、架橋部材１２，１２を支持枠６に固定するボルト等の固定具を挿通するための挿通孔が形成されている。架橋部材１２は、各第２支持部１２ｂ，１２ｂの一方の取付部１２ｄの挿通孔を第１横杆６ｃに形成された貫通孔に一致させ、これらの孔にボルト等の固定具の軸部を挿通し、ナットを嵌めて締め付けることにより、この第１横杆６ｃに固定される。また、架橋部材１２は、各第２支持部１２ｂ，１２ｂの他方の取付部１２ｄの孔を第２横杆６ｄに形成された孔に一致させ、これらの孔にボルト等の固定具の軸部を挿通し、ナットを嵌めて締め付けることにより、この第２横杆６ｄに固定される。これによって、架橋部材１２は、第１横杆６ｃと第２横杆６ｄとに架け渡された状態で固定される。
【００３４】
架橋部材１２，１２に支持される機能性部材１３は、固定手段２０を介して架橋部材１２，１２及び第１横杆６ｃ、第２横杆６ｄに固定される。この固定手段２０は、図８に示すように、機能性部材１３を挟持した状態で架橋部材１２，１２に固定する第１固定部材２１と、第２固定部材２２とを備える。
【００３５】
第１固定部材２１は、機能性部材１３を支持する第１枠部２１ａと、第１枠部２１ａを支持枠６に固定するための第１固定部２１ｂとを備える。第１枠部２１ａは、機能性部材１３の前面の４辺を囲むように、四角形状に構成されている。第１枠部２１ａは、機能性部材１３の前面に当接する第１当接部２１ｃと、機能性部材１３の側面に当接する第２当接部２１ｄとを有する。この第１枠部２１ａは、第１当接部２１ｃが機能性部材１３の前面に当接し、第２当接部２１ｄが機能性部材１３の側面に当接した状態で、第２固定部材２２とともに機能性部材１３を挟持するようになっている。
【００３６】
第１固定部２１ｂは、第１枠部２１ａの複数箇所（図例では６箇所）に設けられている。第１枠部２１ａの上部（上辺）に設けられた３つの第１固定部２１ｂは、支持枠６の第１横杆６ｃに固定される。また、第１枠部２１ａの下部（下辺）に設けられた３つの第１固定部２１ｂは、支持枠６の第２横杆６ｄに固定される。より具体的には、第１固定部２１ｂには、ボルト等の固定具の軸部を挿通する挿通孔が形成されており、第１固定部材２１は、第１枠部２１ａの上部に設けられた第１固定部２１ｂの挿通孔を第１横杆６ｃに形成された貫通孔と一致させ、これらの孔にボルト等の固定具の軸部を挿通し、ナットを嵌めて締め付けることにより、この第１横杆６ｃに固定される。さらに、第１固定部材２１は、第１枠部２１ａの下部に設けられた第１固定部２１ａの挿通孔を第２横杆６ｄに形成された貫通孔と一致させ、これらの孔にボルト等の固定具の軸部を挿通し、ナットを嵌めて締め付けることにより、第２横杆６ｄに固定される。これによって、第１固定部材２１は、第２固定部材２２とともに機能性部材１３を挟持した状態で、支持枠６に強固に固定される。
【００３７】
第２固定部材２２は、機能性部材１３を支持する第２枠部２２ａと、この第２枠部２２ａを架橋部材１２，１２に固定する第２固定部２２ｂと、機能性部材１３としてのＭＬＤの収容ケース１３ａから排出された熱気を通過させるための開口部２２ｃとを有する。第２枠部２２ａは、機能性部材１３の後面に当接する第３当接部（図示略）と、機能性部材１３の側面に当接する第４当接部（図示略）とを有する。
【００３８】
第２固定部材２２は、第２固定部２２ｂの挿通孔を架橋部材１２に形成された貫通孔と一致させ、これらの孔にボルト等の固定具の軸部を挿通し、ナットを嵌めて締め付けることにより、この架橋部材１２に固定される。これによって、第２固定部材２２は、第１固定部材２１とともに、機能性部材を挟持した状態で、架橋部材１２及び架橋部材１２と連結された支持枠６に強固に固定される。また、第２固定部材２２には、機能性部材１３を直接固定するための機能性部材固定部２２ｆが形成されている。第２固定部材２２は、この固定部２２ｆが、機能性部材１３としてのＭＬＤの筐体の側面に固定されることにより、このＭＬＤを支持するように構成される。この固定部２２ｆは、第２固定部材２２をＭＬＤに取り付けるための取付孔を有し、この取付孔と、ＭＬＤの収容ケース１３ａの側面に形成された孔とを一致させ、これらにボルト等の固定具を挿通して締め付けることにより、ＭＬＤに固定されるようになっている。
【００３９】
これらの構成により、第１固定部材２１と第２固定部材２２とで、機能性部材１３の収容空間が構成される。さらに、この固定方法について、第２固定部材２２の固定を、機能性部材１３の短辺側に沿って形成された架橋部材１２にて行うことで、架橋部材１２の長さを短くすることができ、架橋部材１２としての剛性を適切に保つことができるとともに、コストダウンにもつながっている。加えて、第１固定部材２１と、第２固定部材２２とで機能性部材１３を挟持する構成としたことにより、前扉４の開閉に伴う機能性部材１３の重心のブレを少なくすることができ、この重心移動に起因して、第１固定部材２１の第１固定部２１ａあるいは第２固定部材２２の第２固定部２２ｂの固定具の緩みが発生することを防止できる。
【００４０】
開口部２２ｃは、図８に示すように四角形状とされ、第２固定部材２２の厚さ方向に貫通して形成されている。第２固定部材２２には、２つの開口部２２ｃ，２２ｃが形成されている。各開口部２２ｃ，２２ｃは、ＭＬＤの収容ケース１３ａに形成された排気部１３ｂの位置に対応して第２固定部２２ｂの所定位置に形成されている。
【００４１】
また、第２固定部材２２の後面２２ｅには、機能性部材１３としてのＭＬＤの制御に必要な制御基板が収容された基板ケース２４が取り付けられる。第２固定部材２２の後面２２ｅには、この基板ケース２４を支持する複数（図例では４つ）の支持部２２ｄが形成されている。この支持部２２ｄは、第２固定部材２２の後面２２ｅから後方に突出して形成されている。この支持部２２ｄには、基板ケース２４を固定するためのねじ、ボルト等の固定具の軸部が挿通される孔が前後方向に貫通して形成されている。
【００４２】
前記基板ケース２４には、第２固定部材２２の支持部２２ｄに固定される複数の固定部（以下「第３固定部」という）２４ａが支持部２２ｄに対応する位置に形成されている。第３固定部２４ａは、基板ケース２４の前面２４ｂから前方に突出して形成されている。
第３固定部２４ａには、この基板ケース２４を第２固定部材２２に固定するためのねじ、ボルト等の固定具の軸部が挿通される孔が前後方向に貫通して形成されている。
【００４３】
この基板ケース２４は、第３固定部２４ａを第２固定部材２２の支持部２２ｄに当接させるとともに、第３固定部２４ａの孔と支持部２２ｄの孔を一致させ、例えばボルトの軸部をこれらの孔に挿通し、この軸部にナットを嵌め込んで締め付けることにより、第２固定部材２２に固定される。
【００４４】
前記支持部２２ｄが第２固定部材２２の後面２２ｅから後方に突出し、第３固定部２４ａが基板ケース２４の前面２４ｂから前方に突出して形成されていることから、基板ケース２４が第２固定部材２２に取り付けられた状態（図９参照）において、第２固定部材２２の後面２２ｅと基板ケース２４の前面２４ｂとが前後方向（機能性部材１３の後面と基板ケース２４の前面との対向方向）に所定間隔離れた状態となる。これにより、基板ケース２４は機能性部材１３であるＭＬＤから所定間隔離間された位置に設けられる。
【００４５】
遊技機１は、この状態で、ＭＬＤから排出された熱気が、第２固定部材２２の後面２２ｅと、基板ケース２４の前面２４ｂとの間の空間を通じて上方（図９において符号Ｍで示した方向）に誘導され、筐体２の天板に形成された通気部２ｂから筐体２の外に排出されるようになっている。
【００４６】
より具体的には、筐体２の天板に形成された通気部２ｂは、基板ケース２４のほぼ上方位置に形成されている。そして、この通気部２ｂは、筐体２の前後方向において、第２固定部材２２よりも後方位置に形成されている。第２固定部材２２の後面２２ｅは、その上部が、側面視において、上方に向かうにつれて後方に傾斜するように構成されている。さらに、基板ケース２４の前面２４ｂは、側面視において上方に向かうにつれて後方に傾斜する傾斜面とされている。
【００４７】
これにより、第２固定部材２２の後面２２ｅと、基板ケース２４の前面２４ｂは、ＭＬＤの排気部１３ｂから排出され、第２固定部材２２の開口部２２ｃを通じて後方に流出した熱気を上方の通気部２ｂに誘導することができるようになっている。このように、筐体２内において上方に誘導された熱気は、筐体２の天板に形成された通気部２ｂを介して筐体２外へと排出される。これにより、筐体２の内部は、各種機器に影響を与えることない好適な温度に維持される。
【００４８】
また、支持枠６には、前扉４の各ユニット８，９をネジで取り付けるための固定孔１０ａ，１０ｂと、縦杆６ａ，６ｂ、各横杆６ｃ〜６ｅ等を結合するための組立孔１０ｃと、各ユニット８，９に各種部材や装置類を取り付ける際に、前扉４の裏側からユニット８，９の裏側にドライバーなどの治具を挿入してネジ止めするための治具用の孔１０ｄとがそれぞれ複数設けられている。
【００４９】
支持枠６の一方の縦杆６ｂには、図示していないが、筐体２側の回動軸３に嵌合する嵌合部が一体的に形成されるか、あるいは嵌合部材が取り付けられており、この嵌合部材と筐体２側の回動軸３とにより、前扉４を開閉可能に支持する着脱式のヒンジ手段を構成している。
【００５０】
上部ユニット８は、図８に示すように、操作部７を保持する矩形枠状の上部枠ユニット２６と、この上部枠ユニット２６の前面に取り付けられた上部化粧枠ユニット２７と、リールパネルユニット２８とを備える。
【００５１】
上部枠ユニット２６は、支持枠６の第１横杆６ｃに接合される上枠部２６ａと、支持枠６の一方の縦杆６ａに接合される左枠部２６ｂと、支持枠６の他方の縦杆６ｂに接合される右枠部２６ｃと、左右両枠部２６ｂ，２６ｃの下端部同士を連結する下枠部２６ｄとを一体成形してなる。
【００５２】
この上部枠ユニット２６は、その下枠部２６ｄにこれと別体成形された操作部７が装着されている。上部枠ユニット２６は、合成樹脂からなるが、矩形枠状の形状などから高い剛性を有している。
【００５３】
操作部７は、図１、図５及び図６に示すように、リールパネルユニット２８側から傾斜する傾斜面部７ａと、この傾斜面部７ａから略鉛直下方に延びる垂直面部７ｂとからなる。傾斜面部７ａには、その中央部に種々のデータを表示する数値表示器２９が設けられている。
【００５４】
この数値表示器２９を挟んだ左右両側には、遊技者によって操作される２つの操作手段としてのベットボタン３０とメダル投入口３２とが設けられている。垂直面部７ｂには、同じく遊技者によって操作される１つの始動レバー３３と３つの停止ボタン３４ａ，３４ｂ，３４ｃとが略一直線上に並んだ状態で設けられている。
【００５５】
上部化粧枠ユニット２７は、図１、図５及び図６に示すように、ＭＬＤの前面に設けられた液晶パネルを露出させるための開口部２７ａと、この開口部２７ａの周辺を囲むように配置された複数（図例では５つ）の演出用ランプ３５ａ，３５ｂ，３５ｃ，３５ｄ，３５ｅ及び左右２つの上部スピーカ３６ａ，３６ｂとを一体的に組み込んでなる。
【００５６】
上部スピーカ３４ａ、３４ｂは、図９に示すように、その後部が、前記架橋部材１２，１２の２つの第２支持部１２ｂの間に位置するようになっている。すなわち、架橋部材１２，１２には、第１支持部１２ａと２つの第２支持部１２ｂによって凹部１２ｃが形成されているので、上部スピーカ３６ａ，３６ｂと架橋部材１２，１２は、互いに干渉することなく前扉４に配置されることになる。
【００５７】
この上部化粧枠ユニット２７には、支持枠６の第２横杆６ｄに対応するように水平枠部２７ｂが設けられている。また、上部化粧枠ユニット２７は、水平枠部２７ｂより下側に上部枠ユニット２６の下枠部２６ｄ及び操作部７との間に略矩形状の窓枠３７を構成するようになっている。
【００５８】
リールパネルユニット２８は、この窓枠３７に対応して上部枠ユニット２６の裏面側に取り付けられるようになっており、このリールパネルユニット２８の中央部には、リール透視窓３８（図１参照）が設けられ、このリール透視窓３８を通して筐体２内の後述するリール装置８１の３つの回転リール８２ａ，８２ｂ，８２ｃの一部が遊技者側に見えるようになっている。
【００５９】
下部ユニット９は、図１、図３及び図５などに示すように、下部ユニット９の取付ベースとなる略矩形状の下部ユニットベース３９と、この下部ユニットベース３９に取り付けられ、スロットマシンの機種毎に異なる模様・文字などが施された下部パネルユニット４０と、この下部パネルユニット４０の裏面側に配置され、下部パネルユニット４０を照らす２本の蛍光灯などからなる下部パネル照明装置４１と、下部パネルユニット４０の下方で下部ユニットベース３９に取り付けられた受け皿４２と、下部ユニットベース３９の裏面側に取り付けられ、筐体２の内部から払い出されるメダルを払出口４３を介して受け皿４２に送り出すための払出通路４４と、この払出通路４４を挟んで下部ユニットベース３９の裏面側に取り付けられる左右一対の下部スピーカ４５とを一体的に組み込んでなる。この下部ユニットベース３９は、合成樹脂からなるが、矩形状の形状などから高い剛性を有している。
【００６０】
以下、前扉４の組立手順を説明する。先ず、支持枠６に、下部ユニット９が固定される。この作業は、支持枠６の第３横杆６ｅ及び左右の縦杆６ａ，６ｂに形成された固定孔１０ｂに、裏面からネジやリベットなどの固定具を通して下部ユニット９を固定することで行われる。
【００６１】
次に、支持枠６に対し、上部枠ユニット２６が固定される。この作業は、支持枠６の第１横杆６ｃ及び左右の縦杆６ａ，６ｂに形成された固定孔１０ａに、裏面側から固定具としてのネジを螺合して上部枠ユニット２６を固定し、更に、下部ユニット９と上部枠ユニット２６の接合部を裏面から固定具としてのネジで固定することで行われる。
【００６２】
次に、前扉４に、上部化粧枠ユニット２７が固定される。この作業は、リールパネルユニット２８をネジ止めなどで上部化粧枠ユニット２７に取り付けた後、支持枠６の第１横杆６ｃ及び左右の縦杆６ａ，６ｂに形成された治具用の孔１０ｄから治具を差し込み、上部枠ユニット２６の裏面から固定具としてのネジで上部化粧枠ユニット２７を上部枠ユニット２６に固定することで行われる。
【００６３】
最後に、前扉４に、カバー部材４９が固定される。この作業は、支持枠６の左右の縦杆６ａ，６ｂに形成された治具用の孔１０ｄから治具を差し込み、上部枠ユニット２６の裏面から固定具としてのネジでカバー部材４９を上部枠ユニット２６に固定することで行われる（図３参照）。
【００６４】
上部ユニット８（上部枠ユニット２６）の下端と下部ユニット９の上端とは、下部ユニット９の上端にフランジ部４６が突出して形成され、このフランジ部４６に上部ユニット８の下端を重ね合わせてネジ止めすることにより接合されている。
【００６５】
また、この両ユニット８，９の境界部には、上部ユニット８側の操作部７及び下部ユニット９側の下部パネルユニット４０よりも筐体２寄りに凹み、かつ前扉４の横幅略全長に亘り左右方向に延びる凹部４８が形成されている。また、この両ユニット８，９の境界部の前面側には、この凹部４８を覆うように前記カバー部材４９が設けられている。
【００６６】
また、凹部４８の奥壁面には、図３に示すように、右端側に返却ボタン６６と支持枠６側の施錠手段５のキーシリンダ１４が貫通する貫通孔６７とが設けられているとともに、左端側に、スロットマシンに投入され電気的に有価価値を記憶したクレジット用のメダルを精算して払い出すための精算ボタン６８（図１参照）が設けられている。
【００６７】
尚、スロットマシンに隣接しかつ電気的に接続して遊技媒体としてのメダルの貸出を制御する貸出制御機を設置する場合、この貸出制御機に対しメダルの貸出を指令するための貸出操作部がスロットマシンに取り付けられるが、この貸出操作部を取り付けるための取付部も凹部４８の奥壁部の左端側に設けられる。
【００６８】
貸出制御機は、有価価値を記憶したカードなどの記憶媒体、又は現金などを受け付け、これに対応する枚数のメダルの払出を、スロットマシンのメダル払出装置８５に行わせることにより、メダルの貸出処理を行う機能を持つものである。
【００６９】
筐体２内には、図２に示すように、前扉４のリールパネルユニット２８のリール透視窓３８に対向して、リール装置８１が筐体２の奥壁部２ａに固定して配置されている。このリール装置８１は、各々独自に回転する３つの回転リール８２ａ，８２ｂ，８２ｃを有しており、これらの回転リール８２ａ〜８２ｃの外周面にはそれぞれ複数の図柄（図示せず）が施され、前扉４を閉じた状態で各回転リール８２ａ〜８２ｃ毎に３つずつ計９つの図柄がリール透視窓３８を通して外部に見えるようになっている。また、筐体２内のリール装置８１上側には、スロットマシンの遊技動作を司る主制御基板１０２（図１０参照）を収容する主制御基板ケース８３が筐体２の奥壁部２ａに固定して配置されているとともに、筐体２内のリール装置８１下側には電源ユニット８４、メダル払出装置８５及び補助ホッパー８６が配置されている。
【００７０】
図１０はスロットマシンの制御系の構成を示す。遊技機１であるスロットマシンは、前扉２の操作部７上の始動レバー３３が操作されたときを検知する始動スイッチ９１と、前扉２の操作部７上の対応する停止ボタン３４ａ〜３４ｃが操作されたときを検知する３つの停止スイッチ９２ａ，９２ｂ，９２ｃと、前扉２の操作部７上のベットボタン３０が操作されたときを検知するベットスイッチ９３と、前扉２の操作部７上のメダル投入口３２にメダルが投入されたことを検知するメダルセンサ９４、前扉２のカバー部材４９上の精算ボタン６８が操作されたときを検知する精算スイッチ９５とを備える。これら入力部としてのスイッチ・センサ類９１〜９５の信号は、いずれも制御部１００に出力される。
【００７１】
制御部１００は、前扉４の操作部７の裏面側に取り付けられ、スイッチ・センサ類９１〜９５の信号を直接受信する扉中継基板１０１と、筐体２内の主制御基板ケース２４８２内に収容され、扉中継基板１０１と信号授受可能に接続された主制御基板１０２と、主制御基板１０２からの制御信号を受信する副制御基板１０３と、前扉４の下部ユニット９（詳しくは下部パネルユニット４０）の裏面側に取り付けられ、副制御基板１０３の制御指令に基づいて下部パネル照明装置４１を制御するインバータ基板１０４とを備える。
【００７２】
主制御基板１０２は、制御主体であるＣＰＵ１０６と、プログラム及び固定データなどを格納するＲＯＭ１０７と、データの読み書きなどに用いられるＲＡＭ１０８とを有し、遊技状態に応じて、リール装置８１及びメダル払出装置８５に対しそれぞれ動作指令を出力するとともに、副制御基板１０３に制御指令を出力するようになっている。また、扉中継基板１０１は、スイッチ・センサ類９１〜９５の信号を主制御基板１０２に転送するだけでなく、主制御基板１０２からの制御指令に基づいて、前扉４の操作部７上の停止ボタン３４ａ〜３４ｃに内蔵されたボタンランプ１０９の点灯及び前扉４の操作部７上の数値表示器２９の表示動作を制御するようになっている。
【００７３】
副制御基板１０３は、主制御基板１０２と同じくＣＰＵ１１１とＲＯＭ１１２とＲＡＭ１１３とを有し、主制御基板１０２の制御指令に基づいて、前扉４の上部ユニット８側の操作部用照明装置５１、演出用ランプ３５ａ〜３５ｅ及び上部スピーカ３６ａ，３６ｂの動作を制御して遊技演出を行うようになっている。また、副制御基板１０３は、第２固定部材２２に固定された基板ケース２４に収容された制御基板とともに、機能性部材１３としてのＭＬＤの制御を行うようになっている。さらに、副制御基板１０３は、前扉４の下部ユニット９側の下部スピーカ４５の動作を制御して、遊技演出及び故障時などでの報知を行うようになっている。
【００７４】
ここで、スロットマシンの制御系の部材・装置類のうち、始動スイッチ９１、停止スイッチ９２ａ〜９２ｃ、ベットスイッチ９３、精算スイッチ９５、ボタンランプ１０９、数値表示器２９、操作部用照明装置５１、演出用ランプ３５ａ〜３５ｅ、上部スピーカ３６ａ，３６ｂなどの、遊技演出又は遊技の進行に関するものは、前扉４の上部ユニット８に集中して付設されている。一方、下部スピーカ４５、インバータ基板１０４、下部パネル照明装置４１など機種に依存しないものは、前扉４の下部ユニット９に付設されている。
【００７５】
主制御基板１０２による制御のうち、スロット遊技の制御は、図示していないが、先ず、メダル投入口３２へのメダル投入又はベットボタン３０の押し操作が行われた後に始動レバー３３が操作されたとき、リール装置８１の回転リール８２ａ〜８２ｃを回転させるとともに、乱数抽選を行う。この乱数抽選においては、発生した乱数を、始動レバー３３が操作されたことに基づいて取得する処理を行う。
【００７６】
主制御基板１０２は、乱数の値に対応して、ビッグボーナスやレギュラーボーナスなどのボーナス賞、及び小役などその他の賞、再遊技役、はずれなどを定めた抽選テーブルをＲＯＭ１０７に記憶している。この抽選テーブルにおいては、各賞は、対応する乱数値の数によって所定の確率で当選するように設定されている。
【００７７】
そして、取得した乱数値に対応する賞を抽選テーブルにより判定することで、乱数抽選が行われる。また、この通常ゲーム中に用いる抽選テーブルは、対応する乱数値の数の相違により、賞の当選確率が互いに異なった値に設定されたものが複数、通常はボーナス賞の確率が異なるものが６つ用意されている。この抽選テーブルは、遊技に先立って、予め１つが選択され設定されるようになっている。
【００７８】
乱数抽選の結果、各賞に当選するとその賞に応じたフラグ、例えばボーナスフラグや小役フラグなどが立てられる。尚、６つの抽選テーブルは、通常、設定値１〜６として区別されている。この設定値は、一旦設定が行われると次回変更が行われるまで維持される。また、始動レバー３３が操作されたとき、各停止ボタン３４ａ〜３４ｃ内のボタンランプ１０９が点灯する。
【００７９】
続いて、各停止ボタン３４ａ〜３４ｃが押し操作されたとき、その停止ボタン３４ａ〜３４ｃ内のボタンランプ１０９を消灯させるとともに、それに対応したリール装置８１の回転リール８２ａ〜８２ｃを停止させる。その際、フラグが立っているときには、停止ボタン３４ａ〜３４ｃの操作タイミングが若干ずれていても、停止操作の位置から所定駒数、例えば４駒以内にフラグに相当する図柄が存在する場合はその図柄がリール透視窓３８の有効化された入賞ライン上に揃うようにいわゆる引き込み制御を行う。
【００８０】
この引き込み制御は、停止操作位置に応じて回転リール８２ａ〜８２ｃの停止位置を定めた停止制御テーブルに基づいて行われる。この停止制御テーブルも、主制御基板１０２のＲＯＭ１０７に記憶されている。この停止制御テーブルにおいては、図柄を引き込めないときの停止位置、及び抽選がはずれたときの停止位置も定められている。また、重複当選や、後述する持ち越しなどによって賞が重複した場合は、再遊技、ボーナス、小役の順に優先的に入賞ライン上に図柄が揃うように制御される。
【００８１】
そして、リール装置８１の３つの回転リール８２ａ〜８２ｃが全て停止したとき、前扉４のリール透視窓３８の有効化された入賞ライン上に入賞図柄が揃うとメダル払出装置８５を作動させて所定枚数のメダルを払出口４３から払い出すとともに、演出用ランプ３５ａ〜３５ｅ及び上部スピーカ３６ａ，３６ｂなどを作動させて遊技演出を行う。
【００８２】
一回の遊技が終了すると小役フラグなどはクリアされるが、ボーナスフラグは立ったまま次の遊技にまで持ち越される。このボーナスフラグの持ち越し処理は、入賞ライン上に相当する図柄が揃うまで継続される。
【００８３】
ビッグボーナスやレギュラーボーナスに抽選で当選し、かつこれらに相当する図柄が入賞ライン上に揃った場合、次回ゲームからボーナスゲームモードが設定される。このボーナスゲームモードでは、抽選処理の判定は、ボーナスゲーム抽選テーブルを用いて行われる。このボーナスゲーム抽選テーブルは、主制御基板１０２のＲＯＭ１０７に記憶されており、乱数値の数の割り振りによって、小役に当選する確率が通常時の１０倍程度になるように設定されている。ボーナスゲームモードは、遊技者によるメダルの獲得枚数が所定数になるまで継続される。例えばビッグボーナスの場合３４５枚、レギュラーボーナスの場合１１９枚などと設定される。
【００８４】
以上説明した遊技機１およびその施錠装置１１によれば、前扉４の基礎の部分として組み込まれ、かつ施錠手段５を支持する支持枠６を縦杆６ａ，６ｂおよび複数の横杆６ｃ〜６ｅで構成するとともに、第１横杆６ｃと第２横杆６ｄに架橋部材１２，１２を架け渡すことにより、この支持枠６の強度を増加させ、前扉４を補強することができる。
【００８５】
さらに、遊技の演出・進行に関わる機能性部材１３をこの架橋部材１２，１２に取り付けることができることにより、施錠装置１１は、前扉４を補強しながらもこの機能性部材１３を好適に支持することが可能になる。
【００８６】
また、架橋部材１２，１２は、機能性部材１３を支持する第１支持部１２ａと、この第１支持部１２ａと横杆から所定間隔離して支持する第２支持部１２ｂを備えていることから、第１支持部１２ａが機能性部材１３を支持したときに、支持枠６に作用する機能性部材１３の荷重を、第１支持部１２ａが、この支持枠の後方位置で分担することになる。支持枠６に上部ユニット８、下部ユニット９が取り付けられて、支持枠の前側に荷重が集中していることから、このように、この機能性部材１３を支持枠の後方位置で支持することにより、支持枠の前側に荷重が集中（応力が集中）することを緩和・抑制できるようになり、支持枠６の疲労による変形を防止することができる。
【００８７】
また、架橋部材１２，１２に機能性部材１３を固定する固定手段２０を第１固定部材２１と第２固定部材２２とによって構成し、この第１固定部材２１と第２固定部材２２とによって機能性部材１３を挟持した状態で機能性部材１３を架橋部材１２，１２に固定することにより、機能性部材１３を確実に架橋部材１２，１２に固定することができる。
【００８８】
特に、第１固定部材２１と第２固定部材２２とによって機能性部材１３を挟持した状態では、第１固定部材２１の第１枠部２１ａに機能性部材１３の前側部分が嵌り、第２固定部材２２の第２枠部２２ａに機能性部材１３の後側部分が嵌ることにより、この機能性部材１３の前後方向、左右方向の移動が規制され、これにより、架橋部材１２，１２に固定された機能性部材１３は、固定位置からずれないように確実に固定されることになる。
【００８９】
さらに、第１固定部材２１は、第２固定部材２２とともに機能性部材１３を挟持した状態で、第１固定部が支持枠に固定されることにより、さらに確実かつ強固に機能性部材１３を支持できるようになる。
【００９０】
また、基板ケース２４は、第２固定部２２から後方に突出して形成された支持部２２ｄと、この基板ケース２４から前方に突出して形成された第３固定部２４ａを介して、ＭＬＤから所定間隔離れて配置されていることから、この第３固定部２４ａと支持部２２ｄの突出長さを適切に設定することにより、このＭＬＤから排出される熱の影響を受けることがない位置に配置されることとなる。
【００９１】
なお、本発明は、上記の実施形態に限らず、種々の変形・変更が可能である。
【００９２】
例えば、上記の実施形態では、支持枠が２つの縦杆６ａ，６ｂを備えた例を示したが、支持枠６は、少なくとも２つの縦杆を備えていればよく、３つ以上の縦杆を用いて支持枠を構成するようにしてもよい。
【００９３】
また、上記の実施形態では、支持枠６が３つの横杆６ｃ〜６ｅを備えた例を示したが、支持枠６は架橋部材１２，１２を架け渡すことができる少なくとも２つの横杆を備えていればよく、第３横杆６ｅを省略して支持枠６を構成したり、４つ以上の横杆を用いて支持枠を構成してもよい。
【００９４】
また、上記の実施形態では、２つの横杆６ｃ，６ｄに２つの架橋部材１２，１２が架け渡された例を示したが、これに限らず、この１つの架橋部材１２，１２を横杆に架け渡して機能性部材１３を支持するようにしてもよい。この場合には、例えば、架橋部材１２，１２の第１支持部１２ａを前記第１固定部部材の第１枠部２１ａと同様な枠状に構成し、この枠部に第２支持部１２ｂを設けることにより、機能性部材１３を支持するようにすることが望ましい。また、横杆に架け渡される架橋部材１２，１２の数は、３以上の複数であってもよい。
【００９５】
上記の実施形態では、固定手段２０を第１固定部材２１と第２固定部材２２とで構成し、この第１固定部材２１と第２固定部材２２とで機能性部材１３を挟持した状態で、架橋部材１２，１２に固定した例を示したが、これに限らず、第１固定部材２１のみによって機能性部材１３を架橋部材１２，１２を固定してもよく、また、第２固定部材２２のみによって機能性部材１３を架橋部材１２，１２に固定するようにしてもよい。
【００９６】
第１固定部材２１のみによって機能性部材１３を架橋部材１２，１２に固定する場合には、この第１固定部材２１に、架橋部材１２，１２に対する取り付けステー等の取り付け手段を設けて、機能性部材１３を架橋部材１２，１２および支持枠６に固定することが望ましい。
【００９７】
また、第２固定部材２２のみによって機能性部材１３を架橋部材１２，１２に固定する場合には、この第２固定部材２２に、支持枠に対する取り付けステー等の取り付け手段を設けて、機能性部材１３を架橋部材１２，１２および支持枠に固定することが望ましい。
【００９８】
上記の実施形態では、リール装置８１が筐体２に設けられた例を示したが、このリール装置８１を機能性部材１３としてユニット化し、支持枠６の上部で支持するようにしてもよい。
【００９９】
また、上記実施形態では、架橋部材１２，１２は、第１支持部１２ａと２つの第２支持部１２ｂとによって凹部１２ｃが形成されることにより、側面視コ字状に構成されていたが、この形状に限定されるものではない。例えば、図１１に示すように、第１支持部１２ａとほぼ直角となる１つの板部によって第２支持部１２ｂを構成することによって、架橋部材１２，１２に凹部１２ｃが形成されないようにすることも可能である。
【０１００】
このような架橋部材１２，１２を採用した場合には、例えば、前扉４の前面の上部スピーカ３６ａ，３６ｂの周りの隙間から、尖端状の線状部材等を筐体２内に挿入し、筐体２内部の各種機器を操作するといった不正行為を防止することができる。すなわち、尖端状の線状部材等を筐体２内に挿入しようとした場合に、架橋部材１２，１２の板状の第２支持部１２ｂがこの線状部材等の進行を阻み、筐体２内部の各種機器の不正な操作を防止できる。
【図面の簡単な説明】
【０１０１】
【図１】本発明の実施形態に係る遊技機の斜視図である。
【図２】遊技機の前扉を取り外した状態において筐体内の配置レイアウトを示す正面図である。
【図３】図１のＸ−Ｘ線における拡大断面図である。
【図４】筐体の部分拡大斜視図である。
【図５】前扉の斜視図である。
【図６】前扉の分解斜視図である。
【図７】施錠装置の斜視図である。
【図８】施錠装置の分解斜視図である。
【図９】施錠装置の側面図である。
【図１０】遊技機の制御系のブロック構成図である。
【図１１】架橋部材の他の例を示す斜視図である。
【符号の説明】
【０１０２】
１…遊技機、２…筐体、３…回動軸、４…前扉、５…施錠手段、６…支持枠、６ａ，６ｂ…縦杆、６ｃ〜６ｅ…横杆、７…操作部、７ａ…傾斜面部、８…上部ユニット、９…下部ユニット、１０ａ，１０ｂ…固定孔、１０ｃ…組立孔、１１…施錠装置、１２…架橋部材、１２ａ…第１支持部、１２ｂ…第２支持部、１２ｃ…凹部、１２ｄ…取付部、１３…機能性部材、１３ａ…収容ケース、１３ｂ…排気部、１４…キーシリンダ、１５，１６…フック部材、１７…カム部材、１７ａ…係合爪、１８…連結杆、１８ａ…係合孔、１８ｂ…突起部、１９…ローラ、２０…固定手段、２１…第１固定部材、２１ａ…第１枠部、２１ｂ…第１固定部、２１ｃ…第１当接部、２１ｄ…第２当接部、２２…第２固定部材、２２ａ…第２枠部、２２ｂ…第２固定部、２２ｃ…開口部、２２ｄ…支持部、２３…受け具、２４…基板ケース、２４ａ…第３固定部、２６…上部枠ユニット、２６ａ…上枠部、２６ｂ…左枠部、２６ｃ…右枠部、２６ｄ…下枠部、２７…上部化粧枠ユニット、２７ａ…開口部、２７ｂ…水平枠部、２８…リールパネルユニット、２９…数値表示部、３０…ベットボタン、３２…メダル投入口、３３…始動レバー、３４（３４ａ〜３４ｃ）…停止ボタン、３５（３５ａ〜３５ｅ）…演出ランプ、３６（３６ａ，３６ｂ）…上部スピーカ、３７…窓枠、３８…リール透視窓、３９…下部ユニットベース、４０…下部パネルユニット、４１…下部パネル照明装置、４２…受け皿、４３…払出口、４４…払出通路、４５…下部スピーカ、４６…フランジ部、４８…凹部、４９…カバー部材、５１…操作部用照明装置、６６…返却ボタン、６８…精算ボタン、８１…リール装置、８２（８２ａ〜８２ｃ）…回転リール、８３…主制御基板ケース、８４…電源ユニット、８５…メダル払出装置、８６…補助ホッパー、９１…始動スイッチ、９２（９２ａ〜９２ｃ）…停止スイッチ、９３…ベットスイッチ、９４…メダルセンサ、９５…精算スイッチ、１００…制御部、１０１…扉中継基板、１０２…主制御基板、１０３…副制御基板、１０４…インバータ基板、１０６…ＣＰＵ、１０７…ＲＯＭ、１０８…ＲＡＭ、１０９…ボタンランプ、１１１…ＣＰＵ、１１２…ＲＯＭ、１１３…ＲＡＭ
【図１】
0005238356.tif 000002
【図２】
0005238356.tif 000003
【図３】
0005238356.tif 000004
【図４】
0005238356.tif 000005
【図５】
0005238356.tif 000006
【図６】
0005238356.tif 000007
【図７】
0005238356.tif 000008
【図８】
0005238356.tif 000009
【図９】
0005238356.tif 000010
【図１０】
0005238356.tif 000011
【図１１】
0005238356.tif 000012